(57)【特許請求の範囲】
【請求項１】
モジュールが組み込まれ、かつ貫通孔が設けられたケースと、
前記ケースの前記貫通孔に回転自在に挿入され、かつ前記ケース内に突出する取付部が設けられた軸部、およびこの軸部の外端部に設けられた頭部を有する操作部材と、
前記操作部材の前記取付部に脱着自在に配置され、かつ前記操作部材と一体的に回転すると共に、前記ケースの前記貫通孔に対する前記操作部材の抜け出しを防ぐ抜止め部材と、
前記取付部に対する前記抜止め部材の脱落を阻止する脱落防止部と、
を備えていることを特徴とするスイッチ装置。
【請求項２】
請求項１に記載のスイッチ装置において、前記操作部材の前記取付部は、前記ケースの内部側に位置する前記軸部の内端部に隣接して設けられた装着溝と、この装着溝内に設けられた係止部と、を備えていることを特徴とするスイッチ装置。
【請求項３】
請求項２に記載のスイッチ装置において、前記抜止め部材は、前記取付部の前記装着溝に挿脱自在に挿入する切欠き部が設けられ、かつ前記ケースの前記貫通孔における内端部の内径よりも大きいリング状の本体部と、この本体部の前記切欠き部内に位置する個所に設けられて前記取付部の前記係止部に係脱可能に係合する係合部と、を有していることを特徴とするスイッチ装置。
【請求項４】
請求項１〜請求項３のいずれかに記載のスイッチ装置において、前記脱落防止部は、前記ケース内に配置され、前記モジュールを前記ケース内に押える押え部材に設けられていることを特徴とするスイッチ装置。
【請求項５】
請求項２〜請求項４のいずれかに記載のスイッチ装置において、前記脱落防止部は、前記抜止め部材の外周面に当接する当接面における円周方向の長さが、前記抜止め部材の前記切欠き部における円周方向の間隔よりも長く形成されていることを特徴とするスイッチ装置。
【請求項６】
請求項１〜請求項５のいずれかに記載のスイッチ装置において、前記操作部材には、前記ケース内に組み込まれた前記モジュールに差し込まれて連結され、前記操作部材の回転操作に応じて前記モジュールを操作する連動部が取り付けられていることを特徴とするスイッチ装置。
【請求項７】
請求項１〜請求項６のいずれかに記載されたスイッチ装置を備えていることを特徴とする時計。
【発明の詳細な説明】
【技術分野】
【０００１】
この発明は、時計、携帯電話機、携帯情報端末機などの電子機器に用いられるスイッチ装置およびそれを備えた時計に関する。
【背景技術】
【０００２】
例えば、腕時計のスイッチ装置においては、特許文献１に記載されているように、腕時計ケースの貫通孔にパイプ部材を嵌め込み、このパイプ部材に操作部材の軸部をスライド可能に挿入し、この操作部材の軸部が腕時計ケース内に突出する内端部にＥリングなどの抜止め部材を取り付けることにより、操作部材が腕時計ケースの外部に抜け出さないように構成されたものが知られている。
【先行技術文献】
【特許文献】
【０００３】
【特許文献１】特開平１１−１０９０５７号公報
【０００４】
この種のスイッチ装置では、腕時計ケースのパイプ部材に操作部材の軸部を挿入し、この軸部の内端部を腕時計ケース内に突出させた状態で、軸部の内端部にＥリングなどの抜止め部材を取り付ける際に、軸部の内端部に抜止め部材を圧入により嵌め込むことにより、抜止め部材を３点支持により軸部の内端部に取り付け、この後、腕時計ケース内に時計モジュールを組み付けている。
【発明の概要】
【発明が解決しようとする課題】
【０００５】
このような腕時計のスイッチ装置では、腕時計ケースのパイプ部材に操作部材の軸部を挿入し、この軸部の内端部を腕時計ケース内に突出させた状態でなければ、軸部の内端部に抜止め部材を取り付けることができないため、腕時計ケース内に時計モジュールを組み付ける前に、予め操作部材を腕時計ケースに取り付ける必要がある。
【０００６】
このため、このスイッチ装置においては、組立作業に制約があり、組立作業が面倒であるばかりか、Ｅリングなどの抜止め部材を軸部の内端部に圧入により嵌め込んで、３点支持により軸部の内端部に取り付けなければならないため、軸部の内端部に対する抜止め部材の取付作業および取外作業が面倒であるという問題があるほか、腕時計ケース内に突出した操作部材の軸部によって時計モジュールが制約を受けるなどの問題もある。
【０００７】
この発明が解決しようとする課題は、抜止め部材を簡単に着脱することができ、かつモジュールが制約を受けずに、容易に組立作業および分解作業ができるスイッチ装置およびそれを備えた時計を提供することである。
【課題を解決するための手段】
【０００８】
この発明は、モジュールが組み込まれ、かつ貫通孔が設けられたケースと、このケースの前記貫通孔に回転自在に挿入され、かつ前記ケース内に突出する取付部が設けられた軸部、およびこの軸部の外端部に設けられた頭部を有する操作部材と、この操作部材の前記取付部に脱着自在に配置され、かつ前記操作部材と一体的に回転すると共に、前記ケースの前記貫通孔に対する前記操作部材の抜け出しを防ぐ抜止め部材と、前記取付部に対する前記抜止め部材の脱落を阻止する脱落防止部と、を備えていることを特徴とするスイッチ装置である。
【発明の効果】
【０００９】
この発明によれば、ケースの貫通孔に操作部材を取り付ける前に、予め、ケース内にモジュールを組み付けることができ、この状態でケースの貫通孔に操作部材の軸部を挿入して、ケース内に突出した軸部の取付部に抜止め部材を脱着自在に配置できると共に、脱落防止部によって取付部に対する抜止め部材の脱落を阻止できるので、抜止め部材を操作部材の取付部に対して簡単に着脱することができる。これにより、ケースに操作部材を抜止め部材によって簡単にかつ確実に取り付けることができると共に、容易に取り外すことができる。このため、モジュールが制約を受けずに、容易に組立作業および分解作業をすることができる。
【図面の簡単な説明】
【００１０】
【図１】この発明を腕時計に適用した一実施形態を示した拡大正面図である。
【図２】図１に示された腕時計のＡ−Ａ矢視における要部を示した拡大断面図である。
【図３】図１に示された腕時計の要部を分解して示した拡大斜視図である。
【図４】図３に示されたスイッチ装置における操作部材と抜止め部材とを分解して示した拡大斜視図である。
【図５】図３に示されたスイッチ装置において、操作部材の取付部に配置された抜止め部材を押え部材の脱落防止部で押えた状態を示した要部の拡大斜視図である。
【発明を実施するための形態】
【００１１】
以下、図１〜図５を参照して、この発明を腕時計に適用した一実施形態について説明する。
この腕時計は、図１および図２に示すように、腕時計ケース１を備えている。この腕時計ケース１は、本体ケース２と第１外装ケース３と第２外装ケース４とによって構成されている。本体ケース２は、硬質の合成樹脂からなり、その内部に補強用の金属部材２ａが埋め込められた構成になっている。
【００１２】
第１外装ケース３は、図１および図２に示すように、軟質の合成樹脂からなり、本体ケース２の上部外周に、これを覆って取り付けられるように構成されている。第２外装ケース４は、軟質の合成樹脂からなり、本体ケース２の外周および第１外装ケース３の外周に、これらを覆って取り付けられるように構成されている。
【００１３】
腕時計ケース１の上部開口部、つまり本体ケース２の上部開口部には、図２に示すように、時計ガラス５がパッキン５ａを介して取り付けられている。この場合、時計ガラス５の上面における外周縁は、図１および図２に示すように、第１外装ケース３と第２外装ケース４とによって覆われている。また、この腕時計ケース１の下部、つまり本体ケース２の下部には、裏蓋６が防水リング６ａを介して取り付けられている。
【００１４】
この腕時計ケース１の内部、つまり本体ケース２の内部には、図２に示すように、時計モジュール７が押え部材８によって配置されている。時計モジュール７は、指針１０および機能針１１を駆動するための時計ムーブメントや、時刻などの情報を電気光学的に表示する表示パネルなど、時計機能に必要な各種の部品（いずれも図示せず）を備えている。
【００１５】
押え部材８は、図２および図３に示すように、ほぼ円板状に形成された本体部８ａと、この本体部８ａの外周縁に起立して設けられた複数の押え片８ｂと、を備えている。この押え部材８は、本体部８ａが時計モジュール７と裏蓋６との間に配置され、複数の押え片８ｂが腕時計ケース１の内周面つまり本体ケース２の内周面と時計モジュール７の外周面との間に配置されることにより、時計モジュール７を腕時計ケース１内に組み付けるように構成されている。
【００１６】
この場合、時計モジュール７と時計ガラス５との間には、図２に示すように、リング状の見切り部材１２が設けられている。この見切り部材１２は、その上面が外周側から内周側に向けて傾斜する傾斜面に形成され、この傾斜面に時字１２ａが円周方向に沿って等間隔で設けられた構成になっている。また、この見切り部材１２と時計モジュール７との間には、第１文字板１３と第２文字板１４とが上下に重なった状態で配置されている。
【００１７】
第１文字板１３は、図１〜図３に示すように、時計モジュール７の上面に配置されている。この第１文字板１３には、機能針１１の機能を表す機能表示部１３ａと、表示パネルの表示領域１５に対する複数の表示窓部１３ｂと、が設けられている。第２文字板１４は、第１文字板１３の上側に配置されている。この第２文字板１４には、第１文字板１３の機能表示部１３ａに対応する開口部１４ａと、この開口部１４ａの周縁部に設けられた目盛部１４ｂと、第１文字板１３の複数の表示窓部１３ｂに対応する表示窓部１４ｃと、が設けられている。
【００１８】
ところで、腕時計ケース１の１２時側と６時側との各側部には、図１および図３に示すように、バンド取付部１６がそれぞれ外部に突出して設けられている。また、この腕時計ケース１の３時側の側部には、スイッチ装置１７が設けられており、この腕時計ケース１の２時側、４時側、８時側、９時側、および１０時側の各側部には、押釦スイッチ１８がそれぞれ設けられている。
【００１９】
スイッチ装置１７は、図２および図３に示すように、腕時計ケース１の本体ケース２に設けられた貫通孔２０に挿入される操作部材２１を備えている。この場合、貫通孔２０は、腕時計ケース１の内部側が小径孔部２０ａに形成され、腕時計ケース１の外部側が大径孔部２０ｂに形成された構成になっている。
【００２０】
この貫通孔２０の外端部に位置する本体ケース２の外周面には、図２および図３に示すように、化粧リング２２が設けられている。また、腕時計ケース１の外周方向における化粧リング２２の両側に位置する個所の第２外装ケース４には、一対の保護カバー部４ａが外部に突出して設けられている。
【００２１】
操作部材２１は、図２〜図５に示すように、腕時計ケース１の貫通孔２０に回転自在に挿入される軸部２３と、この軸部２３の外端部に設けられた頭部２４と、を有している。頭部２４は、全体がほぼ円板状に形成されている。この頭部２４は、その外径が化粧リング２２の外径よりも大きく、かつ本体ケース２の厚み方向（図２では上下方向）の長さとほぼ同じ大きさに形成されている。
【００２２】
また、この頭部２４は、図１〜図３に示すように、本体ケース２の外部に突出した状態で、一対の保護カバー部４ａ間に回転可能な状態で配置されるように構成されている。この場合、頭部２４は、腕時計ケース１の外部に突出する長さが、保護カバー部４ａの突出長さよりも少し短い長さで形成されている。これにより、頭部２４は、その両側が一対の保護カバー部４ａによって保護され、上下方向に位置する個所の外周面が回転操作可能な状態で上下方向に露出するように構成されている。
【００２３】
一方、軸部２３は、図２〜図５に示すように、腕時計ケース１の内部側が小径部２３ａに形成され、腕時計ケース１の外部側が大径部２３ｂに形成された構成になっている。この軸部２３の小径部２３ａは、その外径が貫通孔２０の小径孔部２０ａの内径とほぼ同じ大きさに形成されている。この軸部２３の大径部２３ｂは、その外径が貫通孔２０の大径孔部２０ｂの内径とほぼ同じ大きさに形成されている。
【００２４】
また、この軸部２３は、図２に示すように、その軸方向の長さが貫通孔２０の軸方向の長さよりも少し長く形成されている。すなわち、この軸部２３の小径部２３ａは、その軸方向の長さが貫通孔２０の小径孔部２０ａの軸方向の長さと同じ長さに形成されている。また、軸部２３の大径部２３ｂは、その軸方向の長さが貫通孔２０の大径孔部２０ｂの軸方向の長さよりも少し長く形成されている。
【００２５】
これにより、軸部２３は、図２に示すように、小径部２３ａが貫通孔２０の大径孔部２０ｂを通して小径孔部２０ａに挿入され、大径部２３ｂが貫通孔２０の大径孔部２０ｂに挿入され、この状態で大径部２３ｂが貫通孔２０から腕時計ケース１の外部に突出し、この突出した外端部が頭部２４の内面に埋め込まれた状態で、頭部２４が一体的に取り付けられるように構成されている。
【００２６】
この場合、軸部２３の大径部２３ｂの外周には、図２、図４、および図５に示すように、複数の防水リング２５が取り付けられている。これら複数の防水リング２５は、軸部２３の大径部２３ｂが貫通孔２０の大径孔部２０ｂに挿入された際に、外周部が貫通孔２０の大径孔部２０ｂの内周面に圧接した状態で回転方向に摺動するように構成されている。
【００２７】
また、この操作部材２１の軸部２３には、図２、図４、および図５に示すように、抜止め部材２６を脱着可能な状態で配置するための取付部２７が、腕時計ケース１の内部に突出して設けられている。この取付部２７は、腕時計ケース１内に突出する軸部２３の内端部に隣接する個所にその外周に沿って設けられた環状の装着溝２８と、この装着溝２８内の底部に設けられた係止凹部２９と、を有している。
【００２８】
抜止め部材２６は、図２〜図５に示すように、取付部２７に脱着自在に配置され、この状態で操作部材２１と一体的に回転すると共に、腕時計ケース１の貫通孔２０に対する操作部材２１の抜け出しを防ぐように構成されている。すなわち、この抜止め部材２６は、取付部２７の装着溝２８に挿入する切欠き部３１が設けられたほぼリング状の本体部３０と、この本体部３０における切欠き部３１内に設けられて取付部２７の係止凹部２９に係脱可能に係合する係合凸部３２と、を有している。
【００２９】
この場合、抜止め部材２６の本体部３０は、図４および図５に示すように、その軸方向の長さ（厚み）が取付部２７の装着溝２８の軸方向の長さ（溝幅）とほぼ同じ長さ（厚み）に形成されている。また、この抜止め部材２６の本体部３０は、その外径が操作部材２１の軸部２３における小径部２３ａの外径よりも大きく、かつ腕時計ケース１の貫通孔２０における小径孔部２０ａの内径よりも大きく形成されている。
【００３０】
これにより、抜止め部材２６は、図４および図５に示すように、本体部３０外周縁が腕時計ケース１の貫通孔２０における小径孔部２０ａの内端部に位置する縁部、つまり貫通孔２０の縁部に位置する腕時計ケース１の内周面に当接することにより、操作部材２１が腕時計ケース１の貫通孔２０から外部に抜け出すのを防ぐように構成されている。
【００３１】
切欠き部３１は、図４および図５に示すように、本体部３０の外周から本体部３０の中心部に亘って形成されている。すなわち、この切欠き部３１は、その円周方向の長さ（溝幅）が装着溝２８の内径とほぼ同じ大きさで形成され、径方向の長さ（深さ）が装着溝２８の内径よりも長く形成されている。
【００３２】
これにより、抜止め部材２６は、図４および図５に示すように、本体部３０の切欠き部３１を操作部材２１の取付部２７の装着溝２８に対応させて挿入することにより、本体部３０が装着溝２８内に回転自在な状態で配置されるように構成されている。また、この抜止め部材２６は、装着溝２８に対する本体部３０の回転を阻止させた状態で、操作部材２１を回転させることにより、装着溝２８内の係止凹部２９に本体部３０の係合凸部３２が係合するように構成されている。
【００３３】
さらに、この抜止め部材２６は、図４および図５に示すように、装着溝２８内の係止凹部２９に本体部３０の係合凸部３２が係脱可能に係合することにより、操作部材２１の取付部２７に対して脱落可能な状態で配置され、この状態で操作部材２１と一体的に回転すると共に、操作部材２１が腕時計ケース１の貫通孔２０から腕時計ケース１の外部に抜け出すのを防ぐように構成されている。
【００３４】
この場合、抜止め部材２６は、図４および図５に示すように、操作部材２１が回転して装着溝２８内の係止凹部２９が腕時計ケース１の下側、つまり裏蓋６側に位置した際に、本体部３０の切欠き部３１の開放側が上側に位置するため、この切欠き部３１に沿って本体部３０が装着溝２８から脱落可能な状態になるように構成されている。
【００３５】
このため、この抜止め部材２６は、図２および図５に示すように、脱落防止部３３によって操作部材２１の取付部２７から脱落しないように構成されている。この脱落防止部３３は、図２、図３、および図５に示すように、時計モジュール７を腕時計ケース１内に押え付ける押え部材８に一体に設けられている。
【００３６】
すなわち、この脱落防止部３３は、図２、図３、および図５に示すように、押え部材８の３時側に位置する外周縁に起立して設けられた板状部であり、腕時計ケース１の内周面と時計モジュール７の外周面との間に配置され、この状態で上端部が抜止め部材２６の下側に位置する外周面に当接するように構成されている。
【００３７】
この場合、脱落防止部３３は、図２、図３、および図５に示すように、操作部材２１の軸方向における長さ（厚み）が抜止め部材２６の軸方向の長さ（厚み）よりも長く、かつ取付部２７の軸方向の長さとほぼ同じ長さに形成されている。また、この脱落防止部３３は、抜止め部材２６の下側に位置する外周面に当接する当接面における押え部材８の円周方向の長さ（幅）が、抜止め部材２６の切欠き部３１における円周方向の長さ（間隔）よりも長く形成されている。
【００３８】
一方、操作部材２１の軸部２３には、図２に示すように、取付穴３４が腕時計ケース１の内部側から腕時計ケース１の外部側に向けて軸方向に沿って設けられている。この取付穴３４には、連動部３５が取り付けられている。この連動部３５は、その外径が取付部２７の装着溝２８の内径よりも小さい棒状に形成されている。また、この連動部３５は、腕時計ケース１の外部側に位置する外端部が取付穴３４内に螺着され、腕時計ケース１の内部側に位置する内端部が腕時計ケース１内に組み込まれた時計モジュール７に差し込まれるように構成されている。
【００３９】
すなわち、連動部３５は、図２に示すように、その内端部が時計モジュール７に差し込まれた際に、時計モジュール７の時計ムーブメント（図示せず）に連結され、この状態で操作部材２１の回転に伴って軸部２３と共に回転して、時計モジュール７の時計ムーブメントを操作することにより、指針１０によって指示される時刻などを修正するように構成されている。
【００４０】
次に、このような腕時計を組み立てる場合について説明する。
まず、腕時計ケース１の本体ケース２の上部開口部に時計ガラス５を取り付け、この本体ケース２の上部外周に第１外装ケース３を取り付けると共に、この本体ケース２の外周および第１外装ケース３の外周に第２外装ケース４を取り付ける。この状態で、本体ケース２の貫通孔２０における外端部の外周に化粧リング２２を取り付ける。これにより、腕時計ケース１が組み立てられると共に、時計ガラス５の上面における外周縁が第１外装ケース３および第２外装ケース４によって覆われる。
【００４１】
そして、腕時計ケース１の本体ケース２内に、その下側から見切り部材１２を時計ガラス５の下面における外周縁に配置すると共に、腕時計ケース１の本体ケース２内に、時計モジュール７を配置する。このときには、予め、時計モジュール７の上面に第１文字板１３と第２文字板１４とを重ねて配置すると共に、時計モジュール７内の時計ムーブメントにそれぞれ設けられた各針軸（いずれも図示せず）に指針１０および機能針１１をそれぞれ取り付ける。
【００４２】
この状態で、時計モジュール７を腕時計ケース１内に配置する際には、時計モジュール７を腕時計ケース１および見切り部材１２に対して位置合わせする。このときには、時計モジュール７に設けられた第１文字板１３および第２文字板１４を見切り部材１２の各時字１２ａに対応させて位置合わせすると共に、時計モジュール７の外周部を腕時計ケース１に取り付けられるスイッチ装置１７および複数の押釦スイッチ１８に対応させる。
【００４３】
この場合には、操作部材２１が腕時計ケース１の貫通孔２０に挿入されていないため、見切り部材１２、第１文字板１３、第２文字板１４、および時計モジュール７を腕時計ケース１内に配置する際に、操作部材２１が腕時計ケース１内に突出して邪魔をすることがない。このため、見切り部材１２、第１文字板１３、第２文字板１４、および時計モジュール７が操作部材２１によって制約を受けることがなく、第１文字板１３、第２文字板１４、および時計モジュール７を容易にかつ良好に腕時計ケース１内に組み込むことができる。
【００４４】
そして、腕時計ケース１にスイッチ装置１７の操作部材２１および複数の押釦スイッチ１８を取り付ける。この場合、スイッチ装置１７の操作部材２１を腕時計ケース１に取り付ける際には、予め、操作部材２１の軸部２３における大径部２３ｂの外周に複数の防水リング２５を取り付けると共に、軸部２３の取付穴３４に棒状の連動部３５の外端部を螺入させて、軸部２３の取付穴３４に連動部３５をねじ止めによって取り付ける。
【００４５】
この状態で、操作部材２１の連動部３５を腕時計ケース１の貫通孔２０にその外部側から挿入させて、操作部材２１を腕時計ケース１の貫通孔２０に取り付ける。このときには、連動部３５が腕時計ケース１の貫通孔２０を通過して腕時計ケース１内に突出し、軸部２３の小径部２３ａが貫通孔２０の小径孔部２０ａに挿入し、軸部２３の大径部２３ｂが貫通孔２０の大径孔部２０ｂに挿入し、頭部２４が貫通孔２０の外部に突出して配置される。
【００４６】
この状態では、軸部２３の大径孔部２０ｂに設けられた複数の防水リング２５が大径孔部２３ｂの内周面に回転方向に摺動可能な状態で圧接する。また、頭部２４は、第２外装ケース４に設けられた一対の保護カバー部４ａ間に配置された状態で、頭部２４の外周面における上下部が上下方向に露出する。また、腕時計ケース１の内部に突出した連動部３５は、腕時計ケース１内の時計モジュール７に差し込まれて時計モジュール７内の時計ムーブメント（図示せず）に連結される。
【００４７】
このときには、操作部材２１の軸部２３の内端部に設けられた取付部２７が腕時計ケース１内に突出し、この突出した取付部２７が腕時計ケース１の内周面と時計モジュール７の外周面との間に配置される。このため、腕時計ケース１の内周面と時計モジュール７の外周面との間に抜止め部材２６を挿入させて、操作部材２１の取付部２７に装着することが可能になる。
【００４８】
この状態で、抜止め部材２６の本体部３０に設けられた切欠き部３１の開放側を上に向けて、本体部３０の切欠き部３１を取付部２７の装着溝２８に対応させ、この状態で本体部３０の切欠き部３１を取付部２７の装着溝２８に挿入させて、本体部３０を装着溝２８内に回転自在に配置する。
【００４９】
そして、取付部２７の装着溝２８に対する抜止め部材２６の本体部３０の回転を阻止させた状態で、操作部材２１の頭部２４を回転させると、これに伴って取付部２７が回転することにより、装着溝２８内の係止凹部２９が回転移動し、この係止凹部２９に本体部３０の係合凸部３２が係合する。これにより、抜止め部材２６が操作部材２１と一体的に回転する状態になる。
【００５０】
この状態では、本体部３０の係合凸部３２が下部に位置しているので、抜止め部材２６がその本体部３０の切欠き部３１に沿って取付部２７の装着溝２８から抜け落ちる。これを防ぐために、本体部３０の係合凸部３２を装着溝２８の係止凹部２９に係合させた状態で、操作部材２１の頭部２４を更に回転させる。
【００５１】
すると、軸部２３と共に抜止め部材２６が回転し、装着溝２８の係止凹部２９と本体部３０の係合凸部３２とが下部側から上部側に向けて回転移動すると共に、本体部３０の切欠き部３１の開放側が下側に向けて回転移動する。これにより、抜止め部材２６がその本体部３０の切欠き部３１に沿って取付部２７の装着溝２８から下側に抜け落ちることがない。
【００５２】
この状態で、腕時計ケース１内に押え部材８を下側から挿入して、押え部材８の本体部８ａを時計モジュール７の下面に配置すると共に、押え部材８の複数の押え片８ｂを腕時計ケース１の内周面と時計モジュール７の外周面との間に挿入する。これにより、時計モジュール７が押え部材８によって腕時計ケース１内に固定される。
【００５３】
このときには、押え部材８の外周部に設けられた脱落防止部３３が腕時計ケース１の内周面と時計モジュール７の外周面との間に挿入されて、脱落防止部３３の上端面が抜止め部材２６の下部に位置する外周面に当接する。この状態では、操作部材２１の頭部２４を回転させて、抜止め部材２６を軸部２３と共に回転させても、抜止め部材２６が操作部材２１の取付部２７から抜け落ちることがない。
【００５４】
また、この状態では、抜止め部材２６の本体部３０の外径が腕時計ケース１の貫通孔２０における小径孔部２０ａの内端部の内径よりも大きいため、抜止め部材２６の本体部３０の外周部が腕時計ケース１の内周面に当接する。このため、操作部材２１が腕時計ケース１の外部に抜け出すことがなく、腕時計ケース１の貫通孔２０内に回転可能な状態で取り付けられる。この後、腕時計ケース１の下部に裏蓋６を取り付けることにより、腕時計が組み立てられる。
【００５５】
ところで、この腕時計を分解する場合には、腕時計ケース１の下部から裏蓋６を取り外し、腕時計ケース１内から押え部材８を取り出す。このときには、抜止め部材２６の下側に配置されていた脱落防止部３３が押え部材８と共に腕時計ケース１内から取り出される。このため、抜止め部材２６は操作部材２１の取付部２７から脱落可能な状態になる。この状態で、操作部材２１の頭部２４を回転させることにより、抜止め部材２６を操作部材２１の取付部２７から取り外すことができる。
【００５６】
すなわち、頭部２４を回転させて取付部２７を回転させ、この取付部２７と共に抜止め部材２６を回転させることにより、取付部２７の装着溝２８の係止凹部２９を下部側に移動させると共に、抜止め部材２６の本体部３０に設けられた切欠き部３１の開放側を上側に向ける。すると、抜止め部材２６の切欠き部３１に沿って取付部２７の装着溝２８が相対的に移動し、本体部３０の係合凸部３２が装着溝２８の係止凹部２９から離脱して、抜止め部材２６が取付部２７から抜け落ちる。
【００５７】
これにより、操作部材２１の頭部２４を腕時計ケース１の外部に引き出すことができる。このときには、操作部材２１の連動部３５を時計モジュール７内から抜き出しながら、軸部２３を腕時計ケース１の貫通孔２０内から外部に抜き出す。これにより、時計モジュール７を腕時計ケース１内から取り出すことができる。このため、腕時計を簡単にかつ容易に分解することができる。
【００５８】
次に、この腕時計のスイッチ装置１７の作用について説明する。
このスイッチ装置１７では、操作部材２１の頭部２４を回転させることにより、指針１０などを運針させて時刻修正をすることができる。このときには、操作部材２１の頭部２４の両側が、腕時計ケース１の第２外装ケース４に設けられた一対の保護カバー部４ａによって保護され、頭部２４の上下に位置する外周面が上下方向に露出している。このため、頭部２４の上下に位置する外周面を指で挟んで回転させる。
【００５９】
すると、操作部材２１の軸部２３が腕時計ケース１の貫通孔２０内で回転し、この軸部２３の回転に伴って時計モジュール７に差し込まれて時計ムーブメント（図示せず）に連結された連動部３５が回転する。これにより、連動部３５の回転に応じて時計ムーブメントの針軸（図示せず）などが回転し、指針１０などを運針させる。これにより、指針１０などによって指示される時刻が修正される。
【００６０】
このときには、軸部２３と共に抜止め部材２６が回転しても、この抜止め部材２６の下部に位置する外周面が、押え部材８に設けられた脱落防止部３３の上端面に当接していることにより、抜止め部材２６が操作部材２１の取付部２７から抜け落ちることがない。また、このときには、脱落防止部３３の上端面における押え部材８の円周方向の長さが抜止め部材２６の本体部３０に設けられた切欠き部３１の円周方向の長さよりも長く形成されているので、軸部２３と共に抜止め部材２６を円滑に回転させることできる。
【００６１】
すなわち、操作部材２１の軸部２３と共に抜止め部材２６が回転し、抜止め部材２６の本体部３０に設けられた切欠き部３１が脱落防止部３３の上端面に当接する際に、切欠き部３１の開放側に位置する各端部が、脱落防止部３３の上端面の端部に引っ掛かることがないため、抜止め部材２６の切欠き部３１が下側に移動して脱落防止部３３の上端面に到達しても、抜止め部材２６の切欠き部３１が脱落防止部３３の上端面上を円滑に通過する。
【００６２】
このように、この腕時計のスイッチ装置１７によれば、時計モジュール７が組み込まれ、かつ貫通孔２０が設けられた腕時計ケース１と、この腕時計ケース１の貫通孔２０に回転自在に挿入され、かつ腕時計ケース１内に突出する取付部２７が設けられた軸部２３を有する操作部材２１と、この操作部材２１の取付部２７に脱着自在に配置され、かつ操作部材２１と一体的に回転すると共に、腕時計ケース１に対する操作部材２１の抜け出しを防ぐ抜止め部材２６と、取付部２７に対する抜止め部材２６の脱落を阻止する脱落防止部３３と、を備えていることにより、抜止め部材２６を簡単に着脱することができ、かつ時計モジュールが制約を受けずに、容易に組立作業および分解作業ができる。
【００６３】
すなわち、この腕時計のスイッチ装置１７では、腕時計ケース１の貫通孔２０に操作部材２１を取り付ける前に、予め、腕時計ケース１内に時計モジュール７を組み付けることができ、この状態で腕時計ケース１の貫通孔２０に操作部材２１の軸部２３を挿入して、腕時計ケース１内に突出した軸部２３の取付部２７に抜止め部材２６を脱着自在に配置することができると共に、脱落防止部３３によって取付部２７に対する抜止め部材２６の脱落を阻止できる。
【００６４】
これにより、このスイッチ装置１７では、抜止め部材２６を操作部材２１の取付部２７に対して簡単にかつ容易に着脱することができるので、腕時計ケース１に操作部材２１を抜止め部材２６によって簡単にかつ確実に取り付けることができると共に、操作部材２１から抜止め部材２６を取り外すことができる。これにより、腕時計ケース１から操作部材２１を容易に取り外すことができるので、時計モジュール７が制約を受けずに、容易に組立作業および分解作業をすることができる。
【００６５】
すなわち、このスイッチ装置１７では、腕時計ケース１内に時計モジュール７を組み込んだ状態で、操作部材２１の軸部２３を腕時計ケース１の貫通孔２０に挿入して、軸部２３の取付部２７に抜止め部材２６を配置させるだけで、操作部材２１を腕時計ケース１に簡単にかつ容易に取り付けることできるので、時計モジュール７が操作部材２１による制約を受けることがなく、容易に組立作業をすることができる。
【００６６】
これにより、この腕時計では、時計モジュール７、第１文字板１３、第２文字板１４、および見切り部材１２が操作部材２１によって制約を受けことがないので、時計モジュール７、第１文字板１３、第２文字板１４、および見切り部材１２を腕時計ケース１の外形に対して最大限に大きくすることができると共に、時計モジュール７の製作が容易にできるほか、腕時計として、外観的にもデザイン的にも好ましいものを提供することができる。
【００６７】
また、このスイッチ装置１７では、腕時計ケース１内から脱落防止部３３を取り外すだけで、簡単にかつ容易に抜止め部材２６を取付部２７から脱落させて取り外すことができるので、操作部材２１を腕時計ケース１の貫通孔２０内から簡単にかつ容易に抜き出して取り外すことができ、これにより腕時計ケース１内から時計モジュール７を簡単にかつ容易に取り出すことができるので、容易にかつ良好に分解することができる。
【００６８】
この場合、このスイッチ装置１７では、操作部材２１の取付部２７が、腕時計ケース１の内部側に位置する軸部２３の内端部に隣接して設けられた環状の装着溝２８と、この装着溝２８内に設けられた係止凹部２９と、を有し、抜止め部材２６が、取付部２７の装着溝２８に挿脱自在に挿入する切欠き部３１が設けられ、かつ腕時計ケース１の貫通孔２０の内端部の内径よりも大きいリング状の本体部３０と、この本体部３０の切欠き部３１内に位置する個所に設けられて取付部２７の係止凹部２９に係脱可能に係合する係合凸部３２と、を有していることにより、抜止め部材２６を取付部２７に対して脱落可能な状態で取り付けることができる。
【００６９】
すなわち、このスイッチ装置１７では、腕時計ケース１内に時計モジュール７を組み込んだ状態であっても、時計モジュール７の外周面と腕時計ケース１の内周面との間に抜止め部材２６を挿入させて、抜止め部材２６の本体部３０に設けられた切欠き部３１の開放側から、本体部３０の切欠き部３１を取付部２７の装着溝２８に容易に挿入させることができるので、簡単に抜止め部材２６を装着溝２８に配置することができ、またこの状態で操作部材２１の頭部２４を回転させるだけで、本体部３０の係合凸部３２を装着溝２８の係止凹部２９に係合させることができる。
【００７０】
このため、このスイッチ装置１７では、本体部３０の係合凸部３２を装着溝２８の係止凹部２９に係合させた状態で、操作部材２１の頭部２４を更に回転させると、軸部２３と共に抜止め部材２６が回転し、装着溝２８の係止凹部２９と本体部３０の係合凸部３２とを下部側から上部側に向けて回転移動させることができると共に、本体部３０の切欠き部３１の開放側を下側に向けて回転移動させることができ、これにより抜止め部材２６がその本体部３０の切欠き部３１に沿って取付部２７の装着溝２８から抜け落ちないように配置することができる。
【００７１】
また、このスイッチ装置１７では、抜止め部材２６を操作部材２１の取付部２７から取り外す際に、頭部２４を回転させて取付部２７を回転させ、この取付部２７と共に抜止め部材２６を回転させることにより、取付部２７の装着溝２８の係止凹部２９を下部側に移動させると共に、抜止め部材２６の本体部３０に設けられた切欠き部３１の開放側を上側に向けることができる。
【００７２】
これにより、抜止め部材２６の切欠き部３１に沿って取付部２７の装着溝２８を相対的に移動させることができるので、本体部３０の係合凸部３２を装着溝２８の係止凹部２９から離脱させて、抜止め部材２６を取付部２７から脱落させて取り外すことができ、これにより操作部材２１の頭部２４を腕時計ケース１の外部に引き出すことができるので、腕時計ケース１から操作部材２１を容易に取り外すことができる。
【００７３】
また、このスイッチ装置１７では、脱落防止部３３が腕時計ケース１内に配置されて時計モジュール７を腕時計ケース１内に押える押え部材８に設けられていることにより、腕時計ケース１内に押え部材８を配置させ、この押え部材８によって時計モジュール７を腕時計ケース１に固定する際に、押え部材８の脱落防止部３３を操作部材２１の取付部２７に配置された抜止め部材２６の下部に配置させることができ、これにより脱落防止部３３を備えていても、部品点数が増えることがなく、組立作業および分解作業を容易に行うことができる。
【００７４】
この場合、脱落防止部３３は、抜止め部材２６の外周面に当接する当接面における腕時計ケース１の内周面に沿う円周方向の長さが、抜止め部材２６の切欠き部３１における円周方向の間隔よりも長く形成されていることにより、操作部材２１と共に抜止め部材２６が回転し、抜止め部材２６の本体部３０に設けられた切欠き部３１が脱落防止部３３の上端面に到達した際に、切欠き部３１の開放側に位置する各端部が、脱落防止部３３の上端面の端部に引っ掛かるのを防ぐことができ、これにより操作部材２１と共に抜止め部材２６を円滑に回転させることができる。
【００７５】
さらに、このスイッチ装置１７では、腕時計ケース１内に組み込まれた時計モジュール７に差し込まれて連結され、操作部材２１の回転操作に応じて時計モジュール７を操作する連動部３５が操作部材２１に取り付けられていることにより、操作部材２１の頭部２４を回転操作して、連動部３５を回転させることができ、これにより時計モジュール７を確実にかつ良好に操作することができる。
【００７６】
すなわち、このスイッチ装置１７では、操作部材２１に連動部３５を取り付けた状態で、操作部材２１を腕時計ケース１の貫通孔２０に挿入する際に、連動部３５を時計モジュール７に差し込んで時計モジュール７の時計ムーブメントに連結させることができ、この状態で操作部材２１の頭部２４を回転操作して、連動部３５を回転させると、この連動部３５の回転に応じて時計ムーブメントの指針１０などを運針させることができるので、簡単にかつ確実に時刻修正ができる。
【００７７】
なお、上述した実施形態では、押え部材８に脱落防止部３３を設けた場合について述べたが、これに限らず、例えば腕時計ケース１の下部に取り付けられる裏蓋６に設けても良く、また時計モジュール７を腕時計ケース１内に組み付けるための中枠に設けても良い。
【００７８】
また、上述した実施形態では、操作部材２１に棒状の連動部３５を取り付け、この連動部３５を時計モジュール７に差し込んで時計ムーブメントに連結するように構成した場合について述べたが、操作部材２１は必ずしも連動部３５を備えている必要はなく、操作部材２１の内端部が時計モジュール７の外周部に設けられたスイッチ部を押圧する押釦スイッチにも適用することができる。
【００７９】
さらに、上述した実施形態では、腕時計に適用した場合について述べたが、必ずしも腕時計である必要はなく、例えばトラベルウオッチ、目覚まし時計、置き時計、掛け時計などの各種の時計に適用することができる。また、必ずしも時計に限らず、例えば携帯電話機、携帯情報端末機などの各種の電子機器に適用することができる。
【００８０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８１】
（付記）
請求項１に記載の発明は、モジュールが組み込まれ、かつ貫通孔が設けられたケースと、このケースの前記貫通孔に回転自在に挿入され、かつ前記ケース内に突出する取付部が設けられた軸部、およびこの軸部の外端部に設けられた頭部を有する操作部材と、この操作部材の前記取付部に脱着自在に配置され、かつ前記操作部材と一体的に回転すると共に、前記ケースの前記貫通孔に対する前記操作部材の抜け出しを防ぐ抜止め部材と、前記取付部に対する前記抜止め部材の脱落を阻止する脱落防止部と、を備えていることを特徴とするスイッチ装置である。
【００８２】
請求項２に記載の発明は、請求項１に記載のスイッチ装置において、前記操作部材の前記取付部は、前記ケースの内部側に位置する前記軸部の内端部に隣接して設けられた環状の装着溝と、この装着溝内に設けられた係止部と、を有し、前記抜止め部材は、前記取付部の前記装着溝に挿脱自在に挿入する切欠き部が設けられ、かつ前記ケースの前記貫通孔における内端部の内径よりも大きいリング状の本体部と、この本体部の前記切欠き部内に位置する個所に設けられて前記取付部の前記係止部に係脱可能に係合する係合部と、を有していることを特徴とするスイッチ装置である。
【００８３】
請求項３に記載の発明は、請求項１または請求項２に記載のスイッチ装置において、前記脱落防止部は、前記ケース内に配置され、前記モジュールを前記ケース内に押える押え部材に設けられていることを特徴とするスイッチ装置である。
【００８４】
請求項４に記載の発明は、請求項２または請求項３に記載のスイッチ装置において、前記脱落防止部は、前記抜止め部材の外周面に当接する当接面における円周方向の長さが、前記抜止め部材の前記切欠き部における円周方向の間隔よりも長く形成されていることを特徴とするスイッチ装置である。
【００８５】
請求項５に記載の発明は、請求項１〜請求項４のいずれかに記載のスイッチ装置において、前記操作部材には、前記ケース内に組み込まれた前記モジュールに差し込まれて連結され、前記操作部材の回転操作に応じて前記モジュールを操作する連動部が取り付けられていることを特徴とするスイッチ装置である。
【００８６】
請求項６に記載の発明は、請求項１〜請求項５のいずれかに記載されたスイッチ装置を備えていることを特徴とする時計である。
【符号の説明】
【００８７】
１  腕時計ケース
７  時計モジュール
８  押え部材
１７  スイッチ装置
２０  貫通孔
２１  操作部材
２３  軸部
２４  頭部
２６  抜止め部材
２７  取付部
２８  装着溝
２９  係止凹部
３０  本体部
３１  切欠き部
３２  係合凸部
３３  脱落防止部
３５  連動部
【図１】
0006395108.tif 000002
【図２】
0006395108.tif 000003
【図３】
0006395108.tif 000004
【図４】
0006395108.tif 000005
【図５】
0006395108.tif 000006